(57)【要約】【課題】ドアの開放時、洗濯物の置き場として用いるとともに、狭い場所に洗濯機が設置された場合にも、ドアを容易に開放することができ、また、ドアをキャビネットの内側に押し込んで、洗濯物も便利に入れ出しすることができ、ユーザの便宜性をさらに向上させる、下側開放型前後動ドアを備えたドラム洗濯機を提供する。【解決手段】本発明に係る下側開放型前後動ドアを備えたドラム洗濯機は、前面に、洗濯物の出入が可能なように、開口部が設けられたキャビネットと、キャビネットの前面に設けられ、開口部を開閉するドアと、キャビネットとドアとの間に連結され、ドアが開放するとき、ドアの前面が上向きになるように、ドアが、下方に移動しながら開放され、上方に移動しながら閉められるようにする開閉案内機構と、ドアが開放された状態で、キャビネットの内側方向に移動可能に、ドアを前後動させる前後動機構とを備える。【選択図】図３
2006116324.tif 000002
【特許請求の範囲】
【請求項１】
前面に、洗濯物の出入が可能なように、開口部が設けられたキャビネットと、
前記キャビネットの前面に設けられ、前記開口部を開閉するドアと、
前記キャビネットとドアとの間に連結され、前記ドアが開放するとき、ドアの前面が上向きになるように、ドアが、下方に移動しながら開放され、上方に移動しながら閉められるようにする開閉案内機構と、
前記ドアが開放された状態で、前記キャビネットの内側方向に移動可能に、前記ドアを前後動させる前後動機構とを備えることを特徴とする、下側開放型前後動ドアを備えたドラム洗濯機。
【請求項２】
前記ドアの一部が、ドアが開放された状態で、洗濯物を収容可能に容器構造となることを特徴とする、請求項１に記載の下側開放型前後動ドアを備えたドラム洗濯機。
【請求項３】
前記ドア開閉機構は、前記ドアの両側にそれぞれ２つのリンク部材が連結されたリンク開閉機構で構成されたことを特徴とする、請求項１に記載の下側開放型前後動ドアを備えたドラム洗濯機。
【請求項４】
前記前後動機構は、
前記キャビネットの底面に前後動可能に設けられ、前記ドア開閉機構が連結される移動ベースと、
前記キャビネットと移動ベースとの間に設けられ、前記移動ベースが前後動されることを案内する移動案内手段とを備えることを特徴とする、請求項１に記載の下側開放型前後動ドアを備えたドラム洗濯機。
【請求項５】
前記ドア開閉機構は、前記ドアの両側にそれぞれ２つのリンク部材が連結されたリンク開閉機構で構成され、
前記移動ベースには、前記リンク開閉機構が連結されるように、リンクブラケットがそれぞれ設けられたことを特徴とする、請求項４に記載の下側開放型前後動ドアを備えたドラム洗濯機。
【請求項６】
前記前後動機構には、前記ドアの前後動を制限する移動制限手段が設けられたことを特徴とする、請求項４に記載の下側開放型前後動ドアを備えたドラム洗濯機。
【請求項７】
前記移動制限手段は、前記ドアが開閉されるとき、前記移動ベースが前記キャビネットの内側に移動することを制限するようになることを特徴とする、請求項６に記載の下側開放型前後動ドアを備えたドラム洗濯機。
【請求項８】
前記キャビネットの前面の下側には、前記ドアがキャビネットの内側に入るときに開放されるクリーンドアが設けられたことを特徴とする、請求項１に記載の下側開放型前後動ドアを備えたドラム洗濯機。
【請求項９】
前記ドア開閉機構は、前記ドアの両側にそれぞれ２つのリンク部材が連結されたリンク開閉機構で構成され、
前記前後動機構には、前記リンク開閉機構を回転させてドアを自動に昇降させることができる自動開閉機構が設けられたことを特徴とする、請求項１乃至８のいずれか一項に記載の下側開放型前後動ドアを備えたドラム洗濯機。
【請求項１０】
前記自動開閉機構は、前記リンク開閉機構を回転させる電動モータを有することを特徴とする、請求項９に記載の下側開放型前後動ドアを備えたドラム洗濯機。
【請求項１１】
前記キャビネットには、前記前後動機構を移動させてドアを自動に前後方向に移動させることができる自動移動機構が設けられたことを特徴とする、請求項１乃至８のいずれか一項に記載の下側開放型前後動ドアを備えたドラム洗濯機。
【請求項１２】
前記前後動機構は、前記キャビネットの底面に前後動可能に設けられ、前記ドア開閉機構が連結される移動ベースを有し、
前記自動移動機構は、前記移動ベースをラックとピニオンの動力伝達方式で移動させる電動モータを有することを特徴とする、請求項１１に記載の下側開放型前後動ドアを備えたドラム洗濯機。
【発明の詳細な説明】
【技術分野】
【０００１】
本発明は、ドラム洗濯機のドア開閉構造に関し、より詳細には、ドアが下方に開いた状態で、ドアを洗濯物の置き場として用い、ドアの開放状態で、必要によって、キャビネットの内側に移動させることができるようにした、下側開放型前後動ドアを備えたドラム洗濯機に関する。
【背景技術】
【０００２】
従来、ドラム洗濯機は、図１に示すように、キャビネット１の前面に、略水平方向に設けられたタブとドラムの内部に連通する開口部３と、この開口部３を開閉可能なドア５とが設けられている。
【０００３】
前記ドア５は、一側が、前記キャビネット１の開口部３に、ヒンジ組立体７で連結されており、この状態で、他側に設けられた取っ手を引っ張ったり押したりして開閉するようになっている。
【０００４】
また、前記ドア５は、円形のドアフレーム５ａにドアガラス５ｂが設けられている。このドアガラス５ｂは、一般に、透明なガラス材料からなり、前記キャビネット１の内部に設けられるガスケット９に当接するように、洗濯機の内側へ膨らんだ凸構造になっている。
【０００５】
しかしながら、このような従来のドラム洗濯機のドアは、側面方向へ開閉方式で開放するようになっているため、図２に示すように、洗濯機１が壁面Ｗに密着して設置された場合、ドア５が完全に開かないことがあるという問題点があった。このようにドア５が完全に開かなければ、膨らんだドアガラス５ｂが洗濯機の開口部３側に位置して、ユーザが、洗濯物を入れたり出したりするとき、干渉が生じて、不便であるという問題点があった。
【０００６】
また、洗濯が終わると、ユーザは、洗濯機から洗濯物を取り出すことになるが、このとき、洗濯物が絡み合っているため、洗濯物を取り出す過程で、洗濯物が底部に落ちてしまうことが多く、この場合は、洗濯し直さなければならないという問題点があった。
【０００７】
しかも、洗濯が終わると、洗濯機から洗濯物を取り出し、洗濯物を別の容器に入れた状態で、また他の洗濯物を取り出すことを繰り返すことになるが、このとき、洗濯物を入れておく容器がさらに必要となり、ユーザが、洗濯物を取り出す過程で不便を感じてしまう問題点があった。
【発明の開示】
【発明が解決しようとする課題】
【０００８】
本発明は、上述の問題点に鑑みてなされたもので、その目的は、ドアを上下方向に移動させて開閉可能にするとともに、ドアの開放時、ドアを洗濯物の置き場として用いられるようにし、必要によって、開放されたドアを洗濯機の内側に移動させることができ、これによって、狭小な場所に洗濯機を設置する場合にも、ドアを容易に開放し、かつ、洗濯物を便利に入れたり出したりすることができるようにして、ユーザの便宜性を向上させる、下側開放型前後動ドアを備えたドラム洗濯機を提供することにある。
【課題を解決するための手段】
【０００９】
上記目的を達成すべく、本発明による下側開放型前後動ドアを備えたドラム洗濯機によれば、前面に、洗濯物の出入が可能なように、開口部が設けられたキャビネットと、前記キャビネットの前面に設けられ、前記開口部を開閉するドアと、前記キャビネットとドアとの間に連結され、前記ドアの開放時、ドアの前面が上向きになるように、ドアが、下方に移動しながら開放され、上方に移動しながら閉められるようにする開閉案内機構と、前記ドアの開放状態で、前記キャビネットの内側方向に移動可能に、前記ドアを前後動させる前後動機構とを備えることを特徴とする。
【発明の効果】
【００１０】
本発明によれば、ドアがドア開閉機構によってキャビネットに連結され、上下方向に移動しながら開閉できるとともに、必要によって、ドアが開放された状態で、キャビネットの内側に移動させることができるように構成されているので、ドアの開放時、洗濯物の置き場として用いるとともに、狭い場所に洗濯機が設置された場合にも、ドアを容易に開放することができ、また、ドアをキャビネットの内側に押し込んで、洗濯物も便利に入れ出しすることができ、ユーザの便宜性を向上させるという利点がある。
【００１１】
また、電動モータなどを用いてドアを自動に開閉するとともに、前後動させることができるように構成されているので、ドアの自動開閉動作及び移動動作が可能となり、ユーザの便宜性をさらに向上させるという利点もある。
【発明を実施するための最良の形態】
【００１２】
以下、本発明の好ましい実施形態を、添付図面に基づき詳細に説明する。
【００１３】
図３乃至図５は、本発明の第１の実施の形態に係るドラム洗濯機を示す図であって、図３は、ドアの開閉状態を示す概略側面図であり、図４は、図３のＡ−Ａ線断面図であり、図５は、ドアの前後動状態を示す概略側面図である。
【００１４】
また、図６乃至図９は、本発明の第１の実施の形態に係るドアの開閉及び前後動状態を示す斜視図であって、図６は、ドアの閉状態を、図７は、ドアの開いている途中を、図８は、ドアの開状態を、図９は、ドアの前後動状態をそれぞれ示す図である。
【００１５】
本発明の第１の実施の形態に係る下側開放型前後動ドアを備えたドラム洗濯機は、図３乃至図９に示すように、洗濯機の外郭を形成し、前面に洗濯物を入れたり出したりする開口部１１が設けられたキャビネット１０を備えている。
【００１６】
前記キャビネット１０の内部には、洗濯のための装置が設けられており、主要構成部材としては、図３に示すように、スプリング２１とダンパ２２などでキャビネット１０の内部に支持され、洗濯水が貯蔵されるタブ２３と、前記タブ２３の内部に設けられ、回転しながら洗濯物の洗濯が行われるドラム２５と、前記ドラム２５を回動させる駆動モータ２７とが設けられている。
【００１７】
また、前記キャビネット１０の開口部１１は、前記ドラム２５の内部に洗濯物を入れ出し可能なように、前記タブ２３とドラム２５の開口部と連通しており、前記キャビネット１０とタブ２３の開口部の間には、洗濯の過程で、キャビネット１０の内部に洗濯水などが入らないようにガスケット２９が設けられている。
【００１８】
前記キャビネット１０は、略直方体状からなっており、両側面と後面をなすキャビネット本体１２と、底面をなすベース１３と、上部面をなすトップカバー１４と、前面をなすとともに、前記開口部１１が形成されたフロントカバー１５とで構成される。
【００１９】
前記フロントカバー１５の上部には、洗濯機を操作するための各種の操作スイッチと、洗濯機の作動状態を表示するディスプレイ装置とを有するコントロールパネル１７が設けられている。このコントロールパネル１７は、洗濯機の設計条件に応じて、前記キャビネット１０の上面であるトップカバー１４のような他の位置に設けられてもよい。
【００２０】
前記フロントカバー１５の下部には、前記キャビネット本体１２またはベース１３に、後述するドア３０がキャビネット１０の内側に入るときに開放されるクリーンドア１９が設けられる。このクリーンドア１９については、後述する。
【００２１】
前記フロントカバー１５の前面には、前記開口部１１を開閉するドア２０が設けられている。ここで、前記フロントカバー１５は、前記ドア３０が閉められたときの外側面が、前記コントロールパネル１７とクリーンドア１９の外側面と同じ高さを有するように、前記コントロールパネル１７とクリーンドア１９よりも、相対的にキャビネット１０の内側位置において、前記キャビネット本体１２、コントロールパネル１７と結合して設置される。
【００２２】
前記フロントカバー１５の中央部には、図７と図８に示すように、前記開口部１１をなすリング状の開口フレーム１６が形成され、この開口フレーム１６に前記ガスケット２９が装着される。
【００２３】
前記ドア３０は、前記フロントカバー１５の形状と同一に略四角構造からなる。前記ドア３０は、四角板状に形成され、前記フロントカバー１５の前面の形状と一致するドアフレーム３１と、このドアフレーム３１の中央部に設けられ、前記キャビネット１０の開口部の内側に突出して前記ガスケット２９に密着する、容器形状のドアガラス３５とで構成される。
【００２４】
前記ドアフレーム３１は、その両側部がドアの側面を形成するように、Ｌ字状に折り曲げられて側面部３２を形成する。前記両方の側面部３２には、後述するドア開閉機構であるリンク開閉機構４０が連結されている。
【００２５】
前記ドアガラス３５は、前記ガスケット２９に当接するとともに、前記ドア３０が開放した状態で、洗濯物を収容可能な容器形状に形成される。このようなドアガラス３５は、前記ドアフレーム３１に取り付けられるリング状のガラスフレーム３６と、洗濯物を収容可能に窪んだ容器形状からなり、前記ガラスフレーム３６に結合する容器形ガラス３７とで構成される。
【００２６】
ここで、前記ガラスフレーム３６は、金属材または合成樹脂材などで形成され、前記容器形ガラス３７は、洗濯機の内部が見えるようにガラスのような透明部材で形成されることが好ましい。
【００２７】
前記ドア３０には、ドアを開閉する際に把持する取っ手３９が設けられているが、この取っ手３９は、上下に２つ３９Ｕ、３９Ｄが設けられることが好ましい。
【００２８】
このようなドア３０は、開放して洗濯物を出すときに、洗濯物を一時保管することができるように、ドア３０の前面が上向きになって開放される。したがって、前記ドア３０は、キャビネット１０の下方へ移動しながら開放され、上方に移動しながら閉められるようになっている。
【００２９】
このような前記ドア３０の開閉動作が可能なように、前記ドア３０と移動ベース６１との間には、ドア３０の両側にドア開閉機構が設けられるが、このドア開閉機構４０は、複数個のリンクからなる。ここで、前記移動ベース６１は、前記ドア３０の開放状態で、前記キャビネット１０の内側方向に移動できるように、前記ドア３０を前後動させる前後動機構６０を構成する構成要素であって、詳細は後述する。
【００３０】
前記リンク開閉機構４０は、前記ドア３０の両側にそれぞれ２つのリンク部材４１、４５が四節リンク方式で連結されて構成される。
【００３１】
前記リンク開閉機構４０は、前記ドア３０の側面部３２において、前記キャビネット１０の内部の移動ベース６１にそれぞれ連結された、第１のリンク部材４１と、第２のリンク部材４５とで構成される。ここで、前記第１のリンク部材４１は、前記ドア３０の側面部３２の中央部と、移動ベース６０の前部に連結され、また、第２のリンク部材４５は、前記第１のリンク部材４１の連結部分よりも相対的に高いドア３０の側面部３２の上部と、移動ベース６０の後部に連結されている。
【００３２】
前記ドア３０の側面部３２には、前記第１のリンク部材４１と第２のリンク部材４５の上端部が連結されるように、ドア３０の連結軸４２、４６がそれぞれ設けられ、また、前記移動ベース６０には、前記第１のリンク部材４１と第２のリンク部材４５の下端部が連結されるように、リンクブラケット４３、４７がそれぞれ設けられている。また、前記リンクブラケット４３、４７には、前記２つのリンク部材４１、４５が回転可能に連結されるように、ヒンジ軸４４、４８が設けられていることは言うまでもない。
【００３３】
前記前後動機構６０は、前記キャビネット１０のベース１３に前後動可能に設けられ、前記２つのリンク部材４１、４５が連結される移動ベース６１と、前記ベース１３と移動ベース６１との間に設けられ、前記移動ベース６１が前後動されることを案内する移動案内手段とを含んで構成される。
【００３４】
前記移動案内手段は、前記移動ベース６１の両側において、前記ベース１３にそれぞれ設けられるガイドレール６５と、前記移動ベース６１の両側にそれぞれ設けられ、前記ガイドレール６５に沿って移動する複数個のローラ６３とで構成される。
【００３５】
また、前記前後動機構６０には、前記ドアの前後動を制限する移動制限手段が設けられるが、この移動制限手段６７は、前記ドア３０が開閉されるとき、前記移動ベース６１が、前記キャビネット１０の内側に移動することを制限するようになる。
【００３６】
このような移動制限手段６７は、前記ガイドレール６５から突設され、前記ドア３０または移動ベース６１に一定以上の力が加えられると、前記ローラ６３が乗り越えるようになっていることが好ましい。
【００３７】
前記キャビネット１０の前面の下部をなすクリーンドア１９は、前記ドア３０がキャビネット１０の内側に移動するとき、開放されるが、その両側の下端部がキャビネット１０側に回転可能にヒンジ軸２０で連結されてなる。もちろん、前記ヒンジ軸２０には、前記ドア３０がキャビネット１０の外側に移動されたとき、元の位置へ戻す弾性部材（不図示）が設けられることが好ましい。したがって、前記クリーンドア１９は、図５と図９に示すように、前記ドア３０の開放状態で、キャビネット１０の内側に押し込むと、ドア３０の上端部の押す力によって、ヒンジ軸２０を中心に回転しながら開放され、その後、ドア３０がキャビネット１０から外側に移動すると、弾性部材の力によって回転しながら、自動にキャビネット１０の前面の下部を閉めるようになる。
【００３８】
なお、前記キャビネット１０の前面を構成するフロントカバー１５とクリーンドア１９には、図６乃至図９に示すように、前記リンク部材４１、４５が移動する経路を形成するように、上下方向に長くスリット１５ｓ、１９ｓがそれぞれ設けられている。
【００３９】
このスリット１５ｓ、１９ｓには、異物の流入を防止するとともに、前記リンク部材４１、４５を移動自在にする、異物流入防止部材５０が設けられている。この異物流入防止部材５０は、軟性のブラシや二股状のゴム部材（不図示）などで構成され得る。
【００４０】
また、前記クリーンドア１９には、前記スリット１９ｓの下端部に、前記ドア３０を略水平方向に開放された状態で止めさせるストッパー５５が設けられていることが好ましい。前記ストッパー５５は、ドア３０のリンク部材４１、４５の連結部、キャビネット１０側のリンクブラケット４３、４７、またはリンク部材４１、４５そのものに様々に形成されて、ドア３０及び前記リンク部材４１、４５がこれ以上下方に移動しないように構成すればよい。
【００４１】
以下、上述した本発明の第１の実施の形態に係る下側開放型前後動ドアを備えたドラム洗濯機の動作について説明する。
【００４２】
図６に示すように、ドア３０が閉められた状態で、ドアを開くために、下側の取っ手３９Ｄを取ってドア３０下方に引っ張ると、ドア３０は、図７の過程を経て、上端部が下方に移動するとともに、下端部が洗濯機の前方に略水平方向に移動しながら、図８のように開放される。
【００４３】
すなわち、前記移動ベース６１に、２対のリンク部材４１、４５で連結されたドア３０が、ユーザの引張力によって、図７のように、洗濯機の前方に傾斜して移動した後、図８のように、ドア３０が略水平になるまで、下方に移動しながら開放される。このとき、前記リンク部材４１、４５は、キャビネット１０の前面に設けられたスリット１５ｓ、１９ｓに沿って、ストッパー５５にかかるまで、下方に回動する。
【００４４】
このとき、前記移動ベース６１のローラ６３は、図３のように、移動制限手段６７にかかって移動しないようになるので、ドア３０が前後動しない安定した状態でドア３０を開閉することができるようになる。
【００４５】
このように、前記ドア３０が開放された状態で、ユーザは、必要によって、前記開放されたドア３０を、キャビネット１０の内側に押し込むことができるが、図８に示すように、ドア３０が開放された状態で、ドア３０をキャビネット１０側に押すと、ドアと２対のリンク部材４１、４５で連結された移動ベース６１がガイドレール６５に沿って内側に移動し、このとき、ドア３０は、クリーンドア１９を押してキャビネット１０の内側に回転させながら、キャビネット１０の内部に移動する。
【００４６】
したがって、前記ドア３０は、図９に示すような状態で、キャビネット１０の開口部を通じて、ユーザがドラム２５の内部に洗濯物を入れるとともに、ドラム２５の内部から洗濯物を出すことができ、このとき、必要によって、ユーザは、ドラム２５の内部から出した洗濯物を容器構造のドアガラス３５に保管することができるようになる。
【００４７】
このようにドア３０をキャビネット１０の内部に移動させた状態で、ドア３０を閉めるためには、ドアを前方に引っ張ると、図８に示すように、ドア３０がキャビネット１０の外側に移動し、このとき、クリーンドア１９は、弾性部材（不図示）の弾性力によって自動に閉められるようになる。
【００４８】
以降、ドア３０の上側の取っ手３９Ｕを取って上方に引っ張ると、ドア３０は、前記リンク部材４１、４５とともに、上方に移動し、図６のように、フロントカバー１５に密着して閉められるようになる。
【００４９】
図１０は、本発明の第２の実施の形態に係るドラム洗濯機を示す概略側面図であり、図１１は、図１０のＢ−Ｂ線断面図である。なお、本発明の第２の実施の形態を説明するにあたって、上述した第１の実施の形態と同一・類似の構成部材には同一の図面符号を付し、詳細な説明は省略する。
【００５０】
本発明の第２実施の形態に係るドラム洗濯機は、図１０に示すように、ドア３０を自動に開閉させる自動開閉機構と、自動にキャビネット１０側に前後動させる自動移動機構とが設けられている。
【００５１】
前記自動開閉機構は、キャビネット１０の前面を構成するコントロールパネル１７に設けられたドア自動開ボタン７１とドア自動閉ボタン７２と、前記キャビネット１０の内部に設けられ、ドアを開閉するための電動モータ７５に電源を印加するとともに、前記２つのボタン７１、７２の作動によって、開閉用電動モータ７５の作動を制御するモータ制御機構７４とで構成される。
【００５２】
前記開閉用電動モータ７５は、前記移動ベース６１の上側に設けられた状態で、前記第１のリンク部材４１の下端部に結合され、第１のリンク部材４１を回動させることにより、ドア３０を開閉することができるように構成される。もちろん、前記開閉用電動モータ７５は、第２のリンク部材４５に設置しても構わない。
【００５３】
また、前記自動移動機構は、前記コントロールパネル１７に設けられたドア自動移動ボタン７３と、このドア自動移動ボタン７３の信号を入力されて、制御信号を出力する前記モータ制御機構７４と、このモータ制御機構７４の信号に応じて、前記移動ベース６１を前後動させる移動用電動モータ７７と、この移動用電モータ７７の駆動力を移動ベース６１に伝達するピニオン７８とラック６２とで構成されている。
【００５４】
ここで、前記移動用電動モータ７７は、前記ベース１３と移動ベース６１との間の設置間隔が狭い場合、前記ベース１３の下部に結合された補助ベース１３Ａの上に設けられてもよい。
【００５５】
このような本発明の第２の実施の形態に係るドラム洗濯機では、ドア自動開ボタン７１とドア自動閉ボタン７２を操作してドア３０を自動に開閉するにおいて、前記開閉用電動モータ７５の駆動によって、前記第１のリンク部材４１が回動されながら、第２のリンク部材４５とともにドア３０が上下動することにより、ドア３０が上下方向に移動しながら自動に開閉される。
【００５６】
また、前記ドア自動移動ボタン７３を操作すると、前記移動用電動モータ７７が駆動されて、前記移動ベース６１を自動に移動させることにより、ドア３０をキャビネット１０の内側または外側に移動させることができるようになる。
【図面の簡単な説明】
【００５７】
【図１】従来のドラム洗濯機を示す斜視図である。
【図２】従来のドラム洗濯機におけるドアの開放状態を示す概略図である。
【図３】本発明の第１の実施の形態に係るドラム洗濯機を示す概略側面図であって、ドアの開閉状態を示す図である 。
【図４】図３のＢ−Ｂ線断面図である。
【図５】本発明の第１の実施の形態に係るドラム洗濯機を示す概略側面図であって、ドアの前後動状態を示す図である 。
【図６】本発明の第１の実施の形態に係るドラム洗濯機におけるドアの閉状態を示す斜視図である。
【図７】本発明の第１の実施の形態に係るドラム洗濯機におけるドアが開いている途中を示す斜視図である。
【図８】本発明の第１の実施の形態に係るドラム洗濯機におけるドアの開状態を示す斜視図である。
【図９】本発明の第１の実施の形態に係るドラム洗濯機におけるドアの前後動状態を示す斜視図である。
【図１０】本発明の第２の実施の形態に係るドラム洗濯機を示す概略側面図である。
【図１１】図１０のＢ−Ｂ線断面図である。
【符号の説明】
【００５８】
１０    キャビネット
１１    開口部
１２    キャビネット本体
１３    ベース
１４    トップカバー
１５    フロントカバー
１５ｓ    スリット
１９    クリーンドア
１９ｓ    スリット
２０    ヒンジ軸
３０    ドア
３１    ドアフレーム
３２    側面部
３５    ドアガラス
３６    ガラスフレーム
３７    容器形ガラス
３９、３９Ｕ、３９Ｄ    取っ手
４０    開閉リンク機構
４１    第１のリンク部材
４２    連結軸
４３    リンクブラケット
４４    ヒンジ軸
４５    第２のリンク部材
４６    連結軸
４７    リンクブラケット
４８    ヒンジ軸
５０    異物流入防止部材
５５    ストッパー
６０    前後動機構
６１    移動ベース
６３    ローラ
６５    ガイドレール
６７    移動制限手段
７１    ドア自動開ボタン
７２    ドア自動閉ボタン
７３    ドア自動移動ボタン
７４    モータ制御機構
７５    開閉用電動モータ
７７    移動用電動モータ
７８    ピニオン
【図１】
2006116324.tif 000003
【図２】
2006116324.tif 000004
【図３】
2006116324.tif 000005
【図４】
2006116324.tif 000006
【図５】
2006116324.tif 000007
【図６】
2006116324.tif 000008
【図７】
2006116324.tif 000009
【図８】
2006116324.tif 000010
【図９】
2006116324.tif 000011
【図１０】
2006116324.tif 000012
【図１１】
2006116324.tif 000013